(57)【要約】【課題】間引き点灯をするための手間を軽減し、容易に間引き点灯をできるようにすることにより、省エネを促進する。【解決手段】ソケット１３（ランプソケット）は、ソケット本体３１と、一対の接続端子３４，３５（接触片）と、回転子３３と、スイッチ３６とを有する。一対の接続端子３４，３５は、ランプの受電端子に電気接続し、ランプに対して電力を供給する。スイッチ３６は、外部から押すことにより、一対の接続端子３４，３５の間を短絡させる。【選択図】図３
2014026771.tif 000002
【特許請求の範囲】
【請求項１】
ランプに対して電力を供給する一対の接続端子と、
上記一対の接続端子の間を短絡するスイッチと
を有することを特徴とするランプソケット。
【請求項２】
上記スイッチは、上記ランプソケットの外部に露出した操作部を有し、上記操作部を押下すると上記一対の接続端子の間を短絡することを特徴とする請求項１に記載のランプソケット。
【請求項３】
第一のランプを接続する第一のランプソケットと、
第二のランプを接続する第二のランプソケットと、
上記第一のランプソケットに接続した第一のランプ及び上記第二のランプソケットに接続した第二のランプに対して供給する電力を出力する点灯装置と、
上記点灯装置、上記第一のランプソケット及び上記第二のランプソケットの間を電気接続し、上記点灯装置の出力に対して、上記第一のランプソケットに接続した第一のランプ及び上記第二のランプソケットに接続した第二のランプを直列に電気接続させる配線とを有し、
上記第一のランプソケット及び上記第二のランプソケットのうち少なくともいずれかは、請求項１または請求項２に記載のランプソケットであることを特徴とする照明器具。
【発明の詳細な説明】
【技術分野】
【０００１】
この発明は、ランプを取り付けるランプソケットに関する。
【背景技術】
【０００２】
ＬＥＤなどの光源を有するランプを着脱自在に接続し、接続したランプを点灯する照明器具がある。
１つの照明器具に複数のランプを接続できる構成の照明器具において、複数のランプが直列に電気接続する構成となっている場合がある。省エネのため、ランプを間引いて点灯する場合、間引いたランプの位置にダミーランプを接続することにより、他のランプを点灯させる技術がある。
【先行技術文献】
【特許文献】
【０００３】
【特許文献１】特開２０１１−１９８４９０号公報
【発明の概要】
【発明が解決しようとする課題】
【０００４】
間引いたランプの位置にダミーランプを接続するためには、ダミーランプを別途購入する必要がある。また、間引いたランプを別途保管する必要も生じる。間引き点灯は、手軽にできる省エネとして効果が高いにもかかわらず、このような手間がかかることが障害となり、省エネが促進されない可能性がある。
この発明は、例えば、間引き点灯をするための手間を軽減し、容易に間引き点灯をできるようにすることにより、省エネを促進することを目的とする。
【課題を解決するための手段】
【０００５】
この発明にかかるランプソケットは、ランプに対して電力を供給する一対の接続端子と、上記一対の接続端子の間を短絡するスイッチとを有することを特徴とする。
【発明の効果】
【０００６】
この発明にかかるランプソケットによれば、スイッチによって一対の接続端子の間を短絡するだけで容易に間引き点灯をすることができ、省エネを促進することができる。
【図面の簡単な説明】
【０００７】
【図１】実施の形態１における照明器具１０を示す斜視図。
【図２】実施の形態１におけるランプ２０の構成を示す回路図。
【図３】実施の形態１におけるソケット１３の構造を示す分解斜視図。
【図４】実施の形態１におけるソケット本体３１の構造を示す斜視図。
【図５】実施の形態１におけるカバー３２の構造を示す斜視図。
【図６】実施の形態１における回転子３３の構造を示す斜視図。
【図７】実施の形態１における接続端子３５の構造を示す斜視図。
【図８】実施の形態１におけるスイッチ３６の構造を示す斜視図。
【図９】実施の形態１におけるスイッチ３６の位置を示す図。
【図１０】実施の形態１における照明器具１０の構成を示す回路図。
【発明を実施するための形態】
【０００８】
実施の形態１．
実施の形態１について、図１〜図１０を用いて説明する。
【０００９】
図１は、この実施の形態における照明器具１０を示す斜視図である。
【００１０】
照明器具１０は、ランプ２０ａ，２０ｂ（以下、ランプ２０ａとランプ２０ｂとを区別する必要がない場合は「ランプ２０」と呼ぶ。）を接続して使用される。ランプ２０は、例えば直管形状である。ランプ２０は、両方の端にそれぞれ口金を有する。
【００１１】
照明器具１０は、例えば、器具本体１１と、反射板１２と、４つのソケット１３ａ，１３ｂ，１４ａ，１４ｂ（以下、ソケット１３ａとソケット１３ｂとを区別する必要がない場合は「ソケット１３」と呼ぶ。同様に、ソケット１４ａとソケット１４ｂとを区別する必要がない場合は「ソケット１４」と呼ぶ。）を有する。
【００１２】
器具本体１１は、点灯装置１５（後述）などを内蔵するためのケースである。
反射板１２は、ランプ２０が発した光を反射する。
４つのソケット１３，１４（ランプソケット）は、器具本体１１に固定されている。
ソケット１３ａ及びソケット１４ａは、ランプ２０ａの口金と係合して、ランプ２０ａを着脱可能に固定する。ソケット１３ｂ及びソケット１４ｂは、ランプ２０ｂの口金と係合して、ランプ２０ｂを着脱可能に固定する。
【００１３】
図２は、この実施の形態におけるランプ２０の構成を示す回路図である。
【００１４】
ランプ２０は、例えば、ＬＥＤなどの光源２１ａ〜２１ｅ（以下、光源２１ａ〜２１ｅを区別する必要がない場合は「光源２１」と呼ぶ。）と、受電端子２２，２３とを有する。
光源２１ａ〜２１ｅは、例えば直列に電気接続している。なお、光源２１の数は、いくつでもよいし、光源２１間の接続は、例えば並列接続など他の接続であってもよい。
受電端子２２，２３は、光源２１を点灯するための電力を入力する。受電端子２２，２３は、ランプの一方の端に位置された口金に配置されている。受電端子２２，２３を有する口金は、ソケット１３と係合する形状を有する。
もう一方の口金には、例えば、固定のみを目的とした固定端子や、接地も目的とした接地端子などが設けられている。もう一方の口金は、ソケット１４と係合する形状を有する。
【００１５】
図３は、この実施の形態におけるソケット１３の構造を示す分解斜視図である。
【００１６】
ソケット１３は、例えば、ソケット本体３１と、カバー３２と、回転子３３と、一対の接続端子３４，３５と、スイッチ３６とを有する。
ソケット本体３１、カバー３２、回転子３３は、例えばポリカーボネートやポイブチレンテレフタレートなどの熱可塑性樹脂やその他の絶縁材料で形成されている。
カバー３２は、ソケット本体３１と嵌合して、ソケット内部の空間を覆う。
回転子３３は、ソケット１３に係合したランプ２０とともに回転する。
一対の接続端子３４，３５（接触片）は、例えばりん青銅などの金属やその他の導電材料で形成されている。
一対の接続端子３４，３５は、ランプ２０を点灯するための電力を入力する。接続端子３４は、ランプ２０の受電端子２２と接触して電気接続する。接続端子３５は、ランプ２０の受電端子２３と接触して電気接続する。一対の接続端子３４，３５は、入力した電力を、ランプ２０に対して供給する。
スイッチ３６（短絡用スイッチ、連通スイッチ）は、一対の接続端子３４，３５の間を短絡するための押しボタン式のスイッチである。
【００１７】
図４は、この実施の形態におけるソケット本体３１の構造を示す斜視図である。
【００１８】
ソケット本体３１は、例えば、開口部３１１と、スイッチ穴３１２と、カバー嵌合部３１３，３１４と、器具本体嵌合部３１５，３１６と、接続端子収納部３１７，３１８とを有する。
開口部３１１は、ソケット本体３１の正面に設けられた略円形の開口である。開口部３１１は、ランプ２０の口金を挿通するためのものである。
スイッチ穴３１２（スイッチ挿入部）は、ソケット本体３１の頂部付近に設けられた略長方形の切欠きである。スイッチ穴３１２は、スイッチ３６の一部をソケット本体３１の外部に露出させ、スイッチ３６を外部から操作するためのものである。
カバー嵌合部３１３，３１４は、ソケット本体３１の側面内側に設けられている。カバー嵌合部３１３，３１４は、カバー３２と嵌合して、カバー３２をソケット本体３１に固定するためのものである。
器具本体嵌合部３１５，３１６は、ソケット本体３１の底面付近に設けられている。器具本体嵌合部３１５，３１６は、器具本体１１と嵌合して、ソケット１３を器具本体１１に固定するためのものである。
接続端子収納部３１７，３１８は、筒状であり、ソケット本体３１の底面から内側に向けて設けられている。接続端子収納部３１７，３１８は、ソケット本体３１の底面に配線穴を有する。接続端子収納部３１７は、接続端子３４の下端を収納する。接続端子３４に接続される配線は、配線穴から挿入され、接続端子収納部３１７の内側を通って、接続端子３４に接続される。接続端子収納部３１８は、接続端子３５の下端を収納する。接続端子３５に接続される配線は、配線穴から挿入され、接続端子収納部３１８の内側を通って、接続端子３５に接続される。
【００１９】
図５は、この実施の形態におけるカバー３２の構造を示す斜視図である。
【００２０】
カバー３２は、例えば、爪部３２３，３２４を有する。
爪部３２３は、ソケット本体３１のカバー嵌合部３１３と嵌合する。爪部３２４は、ソケット本体３１のカバー嵌合部３１４と嵌合する。これにより、カバー３２は、ソケット本体３１に固定される。
【００２１】
図６は、この実施の形態における回転子３３の構造を示す斜視図である。
【００２２】
回転子３３は、例えば、受部３３１，３３２と、円筒部３３３とを有する。
受部３３１，３３２は、略半円形の板状である。２つの受部３３１，３３２を合わせると、ソケット本体３１の開口部３１１よりやや大きい円形になる。受部３３１，３３２は、開口部３１１の周囲に係合する。これにより、回転子３３は、開口部３１１の中心軸を中心として回転できる。
円筒部３３３は、略円筒形状である。円筒部３３３の中心軸は、受部３３１，３３２に対して垂直であり、２つの受部３３１，３３２によって形成される円の中心を通る。円筒部３３３は、受部３３１，３３２の間の間隙に対応する位置に、切欠き３３４，３３５を有する。
開口部３１１にランプ２０の口金を差し込むと、受電端子２２，２３が切欠き３３４，３３５に係合する。その状態でランプ２０を回転させると、ランプ２０とともに回転子３３が回転する。
【００２３】
図７は、この実施の形態における接続端子３５の構造を示す斜視図である。
なお、接続端子３４は、接続端子３５と左右対称なので、説明を省略する。
【００２４】
接続端子３５は、例えば、速結端子部３５１と、受電端子接触部３５２と、スイッチ接触部３５３とを有する。
速結端子部３５１は、接続端子３５の下端に設けられている。速結端子部３５１は、速結端子構造を有し、接続端子収納部３１８の内側を通ってきた配線と物理的かつ電気的に接続される。速結端子部３５１は、接続端子収納部３１８に収納される。
受電端子接触部３５２は、回転子３３の円筒部３３３の周囲に沿って、半円弧状になっている。受電端子接触部３５２は、切欠き３３５に係合した受電端子２３と接触して電気接続する。
スイッチ接触部３５３は、接続端子３５の上端に設けられている。スイッチ接触部３５３は、スイッチ３６と接触して電気接続する。
【００２５】
図８は、この実施の形態におけるスイッチ３６の構造を示す斜視図である。
【００２６】
スイッチ３６は、例えば、操作部３６１と、短絡金具３６２とを有する。
操作部３６１は、絶縁材料で形成されている。操作部３６１は、ソケット本体３１のスイッチ穴３１２からソケット１３の外部に露出する。
短絡金具３６２は、導電材料で形成されている。短絡金具３６２は、接続端子３４，３５と接触して電気接続することにより、接続端子３４，３５の間を短絡する。
【００２７】
スイッチ３６は、開放位置と短絡位置との２つの安定位置を有する。利用者が操作部３６１を押下するごとに、スイッチ３６の位置は、２つの安定位置の間を切り替わる。すなわち、スイッチ３６が開放位置にあるときに利用者が操作部３６１を押下すると、スイッチ３６は短絡位置に移動して安定する。逆に、スイッチ３６が短絡位置にあるときに利用者が操作部３６１を押下すると、スイッチ３６は開放位置に移動して安定する。
図９は、この実施の形態におけるスイッチ３６の位置を示す図である。
【００２８】
左は、スイッチ３６が開放位置にある場合を示す。スイッチ３６が開放位置にある場合、短絡金具３６２は、接続端子３４，３５と接触せず、２つの接続端子３４，３５の間は、短絡しない。
右は、スイッチ３６が短絡位置にある場合を示す。スイッチ３６が短絡位置にある場合、短絡金具３６２が接続端子３４，３５のスイッチ接触部と面接触して、２つの接続端子３４，３５の間を短絡する。
【００２９】
図１０は、この実施の形態における照明器具１０の構成を示す回路図である。
【００３０】
照明器具１０は、点灯装置１５と、配線１６ａ〜１６ｃとを有する。
点灯装置１５（駆動電源）は、ソケット１３，１４に接続されたランプ２０を点灯するための電力を出力する。点灯装置１５は、例えば、一対の入力端子５１，５２と、入力回路５３と、直流直流変換回路５４と、電流検出回路５５と、電圧検出回路５６と、制御回路５７と、一対の出力端子５８，５９とを有する。
一対の入力端子５１，５２は、例えば商用電源など外部電源９０に電気接続され、外部電源９０から供給される電力を入力する。
入力回路５３は、一対の入力端子５１，５２が入力した電力を、直流直流変換回路５４へ伝達する。入力回路５３は、例えば、ヒューズ５３１と、全波整流回路５３２とを有する。ヒューズ５３１は、所定の閾値以上の電流が流れると切断して、回路を保護する。全波整流回路５３２は、例えばダイオードブリッジであり、外部電源９０から供給される交流電力を整流して、脈流にする。
直流直流変換回路５４（ＤＣＤＣコンバータ回路）は、入力回路５３から伝達された電力を、安定した電圧を有する直流電力に変換する。直流直流変換回路５４は、例えば、インダクタ５４１と、スイッチング素子５４２と、整流素子５４３と、コンデンサ５４４とを有するブーストコンバータ回路である。
電流検出回路５５は、直流直流変換回路５４が変換した電力の電流値を検出する。電流検出回路５５は、例えば、電流検出抵抗５５１を有する。
電圧検出回路５６は、直流直流変換回路５４が変換した電力の電圧値を検出する。電圧検出回路５６は、例えば、電圧検出抵抗５６１を有する。
制御回路５７は、直流直流変換回路５４を制御する。例えば、制御回路５７は、電流検出回路５５が検出した電流値が、所定の目標電流値に一致するよう、スイッチング素子５４２をオンオフする周波数やデューティ比などを調整する。また、制御回路５７は、電圧検出回路５６が検出した電圧値が所定の範囲外である場合に、異常発生と判定し、直流直流変換回路５４の動作を停止させる。
一対の出力端子５８，５９は、直流直流変換回路５４が変換した電力を出力する。
【００３１】
配線１６ａは、点灯装置１５の出力端子５８と、ソケット１３ａの接続端子３４との間を電気接続している。配線１６ｂは、ソケット１３ａの接続端子３５と、ソケット１３ｂの接続端子３４との間を電気接続している。配線１６ｃは、ソケット１３ｂの接続端子３５と、点灯装置１５の出力端子５９との間を電気接続している。これにより、ソケット１３ａに接続したランプ２０ａと、ソケット１３ｂに接続したランプ２０ｂとが直列に接続され、点灯装置１５の出力に接続される。
【００３２】
次に、この実施の形態における照明器具１０の使用方法について説明する。
【００３３】
２つのランプ２０ａ，２０ｂを照明器具１０に接続して点灯する場合、２つのソケット１３ａ，１３ｂのスイッチ３６を、ともに開放位置とする。これにより、２つのランプ２０ａ，２０ｂは、点灯装置１５の出力に対して、直列に電気接続される。直流直流変換回路が出力する電力の電流値を制御回路５７が調整することにより、２つのランプ２０ａ，２０ｂには、ともに所定の目標電流値の電流が流れる。これにより、２つのランプ２０ａ，２０ｂが、所望の明るさで点灯する。
【００３４】
省エネのため、間引き点灯をする場合、いずれか一方のソケット１３のスイッチ３６を短絡位置にし、もう一方のソケット１３のスイッチ３６を開放位置にする。例えば、ソケット１３ａのスイッチ３６を短絡位置にし、ソケット１３ｂのスイッチ３６を開放位置にしたとすると、ソケット１３ａに接続したランプ２０ａの入力が短絡されるので、ランプ２０ａには電力が供給されない。点灯装置１５の出力に対して、ソケット１３ｂに接続したランプ２０ｂだけが接続されていることになる。直流直流変換回路が出力する電力の電流値を制御回路５７が調整することにより、ランプ２０ｂには、所定の目標電流値の電流が流れる。一方、ランプ２０ａには、電流が流れない。これにより、ランプ２０ｂは点灯するが、ランプ２０ａは点灯しない。
【００３５】
間引き点灯をするためにランプ２０を取り外す必要がないので、ランプ２０を取り外す手間や、取り外したランプ２０を補完する手間などがかからず、容易に間引き点灯をすることができる。また、ダミーランプのような追加の部品を購入する必要もない。
【００３６】
また、スイッチ３６を短絡位置にしたソケット１３に、ランプ２０が接続されていなくても、２つの接続端子３４，３５の間を短絡したスイッチ３６の短絡金具３６２を電流が流れるので、もう一方のソケット１３に接続したランプ２０は点灯する。
したがって、最初から間引き点灯をするつもりであれば、ランプ２０を２つ購入する必要はなく、点灯するランプ２０の数だけ購入すればよい。
【００３７】
この実施の形態における照明器具１０によれば、ランプ２０を取り外したり、取り外したランプ２０を別途保管したりする手間をかけることなく、間引き点灯をすることができる。ダミーランプのような追加の部品を購入する必要もないので、容易に間引き点灯をすることができ、省エネを実現することができる。
【００３８】
以上説明した構成は、一例であり、他の構成であってもよい。例えば、本質的でない部分の構成を、他の構成で置き換えた構成であってもよい。
【符号の説明】
【００３９】
１０  照明器具、１１  器具本体、１２  反射板、１３，１４  ソケット、１５  点灯装置、１６  配線、２０  ランプ、２１  光源、２２，２３  受電端子、３１  ソケット本体、３１１  開口部、３１２  スイッチ穴、３１３，３１４  カバー嵌合部、３１５，３１６  器具本体嵌合部、３１７，３１８  接続端子収納部、３２  カバー、３２３，３２４  爪部、３３  回転子、３３１，３３２  受部、３３３  円筒部、３３４，３３５  切欠き、３４，３５  接続端子、３５１  速結端子部、３５２  受電端子接触部、３５３  スイッチ接触部、３６  スイッチ、３６１  操作部、３６２  短絡金具、５１，５２  入力端子、５３  入力回路、５３１  ヒューズ、５３２  全波整流回路、５４  直流直流変換回路、５４１  インダクタ、５４２  スイッチング素子、５４３  整流素子、５４４  コンデンサ、５５  電流検出回路、５５１  電流検出抵抗、５６  電圧検出回路、５６１  電圧検出抵抗、５７  制御回路、５８，５９  出力端子、９０  外部電源。
【図１】
2014026771.tif 000003
【図２】
2014026771.tif 000004
【図３】
2014026771.tif 000005
【図４】
2014026771.tif 000006
【図５】
2014026771.tif 000007
【図６】
2014026771.tif 000008
【図７】
2014026771.tif 000009
【図８】
2014026771.tif 000010
【図９】
2014026771.tif 000011
【図１０】
2014026771.tif 000012